(57)【要約】【課題】  パネル取付け作業の簡易迅速化とパネル取付施工効率の向上並びに安全性の確保を可能としたＡＬＣパネル取付金具の提供。【解決手段】  建物躯体のＨ形鉄骨梁等の上部フランジ部にＡＬＣパネルを固定する場合に用いるＡＬＣパネル取付金具であって、前記フランジ部の背面に引っ掛けて配置する一枚物の薄板部材からなる平板状の固定金具と、ＡＬＣパネルに挿通するボルトおよび該ボルトに螺合するナットとからなるパネル取付金具において、前記平板状の固定金具に当該固定金具の長手方向に設けた長孔のガイド孔またはガイド溝孔に前記ボルトのナット部材をスライド可能にかつ着脱可能に装着した構成となしたことを特徴とする。【選択図】  図１
2007254985.tif 000002
【特許請求の範囲】
【請求項１】
建物躯体のＨ形鉄骨梁等の上部フランジ部にＡＬＣパネルを固定するための取付金具であって、前記フランジ部の背面に引っ掛けて配置する一枚物の薄板部材からなる平板状の固定金具と、ＡＬＣパネルに挿通するボルトおよび該ボルトに螺合するナットとからなるパネル取付金具において、前記平板状の固定金具と前記ナットが回転可能に装着されていることを特徴とするＡＬＣパネルの取付金具。
【請求項２】
前記平板状の固定金具に前記ナットがスライド可能に装着されていることを特徴とする請求項１に記載のＡＬＣパネルの取付金具。
【請求項３】
前記ナットが、該ナット頭部外側面に突設した環状フランジ部を介して凹凸嵌合方式により前記平板状の固定金具のガイド孔またはガイド溝孔にスライド可能に装着されていることを特徴とする請求項１または２に記載のＡＬＣパネルの取付金具。
【請求項４】
前記ナットが、該ナット頭部に突設した円筒部を介してかしめ方式により前記平板状の固定金具のガイド孔またはガイド溝孔にスライド可能に装着されていることを特徴とする請求項１または２に記載のＡＬＣパネルの取付金具。
【請求項５】
前記ナットが、該ナット頭部外側面に前記平板状の固定金具のガイド孔またはガイド溝に嵌入する外ねじ筒部と該外ねじ筒部の付け根部に連なって前記固定金具の背面にその上面が当接する環状フランジを有する本体部と、上部に前記本体部の環状フランジと略同一外径の環状鍔を有し前記固定金具のガイド孔またはガイド溝の内面と前記本体部の外ねじ筒部との間に嵌入して該外ねじ筒部に螺合する鍔付き筒体とで構成され、前記本体部の環状フランジと前記鍔付き筒体とで形成される環状凹部を介して前記固定金具のガイド孔またはガイド溝孔にスライド可能に装着されていることを特徴とする請求項１または２に記載のＡＬＣパネルの取付金具。
【請求項６】
前記ナットが、前記固定金具のガイド孔またはガイド溝の短径方向の幅より小径の中心孔に雌ねじを有し、頭部に前記平板状の固定金具の背面にその上面が当接する厚肉の環状フランジを有し、該環状フランジ部の中心部に前記中心孔より大径で前記固定金具のガイド孔またはガイド溝短径方向の幅より僅かに小径の内ねじを有する本体部と、上部に前記本体部の環状フランジと略同一外径の環状鍔を有し前記固定金具のガイド孔またはガイド溝に嵌入してその下部が前記本体部の内ねじに螺合する鍔付き筒体とで構成され、前記本体部の環状フランジと前記鍔付き筒体とで形成される環状凹部を介して前記固定金具のガイド孔またはガイド溝孔にスライド可能に装着されていることを特徴とする請求項１または２に記載のＡＬＣパネルの取付金具。
【発明の詳細な説明】
【技術分野】
【０００１】
本発明は、建物躯体のＨ形鉄骨梁等の上部フランジ部に取付けられるＡＬＣ（軽量気泡コンクリート）パネルの取付金具に関するものである。
【背景技術】
【０００２】
建物躯体のＨ形鉄骨梁等の上部フランジ部にＡＬＣパネルを取付ける方法とし、固定ボルトと板状の固定金具を用いて取付ける方法がある。図１０はその一例を示したもので、この方法はＡＬＣパネル１０をＨ形鋼からなる梁１１の上部フランジ部１１−１の所定位置に載置した後、ＡＬＣパネル１０に予め穿設されたボルト孔（下穴）１０−１に固定ボルト１２を貫通させると共に、ＡＬＣパネル１０の下面側に前記Ｈ形鋼からなる梁１１のフランジ部１１−１の背面に引っ掛けて配置した一枚物の薄板部材からなる平板状の固定金具１３のボルト挿通孔に前記固定ボルト１２を挿通し、下方からナット１４を固定ボルト１２のねじ部に螺合させ、該固定ボルト１２と固定金具１３によりＡＬＣパネル１０を梁１１の上部フランジ部１１−１に固定する方法である（特許文献１参照）。
また、他の方法として、前記固定ボルト１２に替えて、ＡＬＣパネルに貫入できるような鋭利な刃を先端に設けた固定ボルトを用いてＡＬＣパネルを取付ける方法がある。この方法は、ＡＬＣパネル１０を梁１１の上部フランジ部１１−１の所定位置に載置した後、該ＡＬＣパネル１０の表面から電動ドリル等を用いて前記鋭利な刃付きの固定ボルト（図示せず）を下穴なしで貫入させ、この固定ボルトのねじ部にナット１４を螺合させて平板状の固定金具１３によりＡＬＣパネル１０を固定する方法である（特許文献２参照）。
【特許文献１】特開２００１−４９７７８号公報
【特許文献２】特開２００４−１１６７８号公報
【発明の開示】
【発明が解決しようとする課題】
【０００３】
しかしながら、前記した固定ボルトと平板状の固定金具を用いて取付ける方法は、ＡＬＣパネル１０をＨ形鋼からなる梁１１の上部フランジ部１１−１の所定位置に載置した後に、梁１１のフランジ部の背面に引っ掛けて配置した平板状の固定金具１３のボルト挿通孔に挿通した固定ボルト１２にナット１４を螺合させる際、固定ボルト１２に対する平板状の固定金具１３の位置決め作業に手間がかかる上、固定ボルト１２、平板状の固定金具１３、ナット１４をそれぞれ腰袋等にばらばらに収納しているので、パネル取付け作業時にその固定金具１３もしくはナット１４を誤って落下させたりすることがしばしば起こり、床または屋根用のＡＬＣパネルの取付け工事の場合には下層階に落ちて危険であった。
【０００４】
本発明は、従来技術の前記問題を解決するためになされたもので、平板状の固定金具とナットを一体的に組み合わせた構成とすることにより、パネル取付け作業の簡易迅速化とパネル取付施工効率の向上並びに安全性の確保を可能としたＡＬＣパネルの取付金具を提供することを目的とするものである。
【課題を解決するための手段】
【０００５】
本発明に係るＡＬＣパネルの取付金具は、建物躯体のＨ形鉄骨梁等の上部フランジ部にＡＬＣパネルを固定するための取付金具であって、前記フランジ部の背面に引っ掛けて配置する一枚物の薄板部材からなる平板状の固定金具と、ＡＬＣパネルに挿通するボルトおよび該ボルトに螺合するナットとからなるパネル取付金具において、前記平板状の固定金具に当該固定金具の長手方向に設けた長孔のガイド孔またはガイド溝孔に前記ボルトのナット部材をスライド可能にかつ着脱可能に装着した構成となしたことを特徴とするものである。
また、このＡＬＣパネル取付金具における前記ナット部材は、中心孔に雌ねじを有し、頭部外側面に突設した環状フランジ部が凹凸嵌合方式により前記平板状の固定金具のガイド孔またはガイド溝孔にスライド可能に装着する方式、または中心孔に雌ねじを有し、頭部に突設した円筒部をかしめ方式により前記平板状の固定金具のガイド孔またはガイド溝孔にスライド可能に装着する方式、または中心孔に雌ねじを有し、頭部外側面に前記平板状の固定金具のガイド孔またはガイド溝に嵌入する外ねじ筒部と該外ねじ筒部の付け根部に連なって前記固定金具の背面にその上面が当接する環状フランジを有する本体部と、上部に前記本体部の環状フランジと略同一外径の環状鍔を有し前記固定金具のガイド孔またはガイド溝の内面と前記本体部の外ねじ筒部との間に嵌入して該外ねじ筒部に螺合する鍔付き筒体とで構成し、前記本体部の環状フランジと前記鍔付き筒体とで形成される環状凹部を前記固定金具のガイド孔またはガイド溝孔にスライド可能に装着する方式、または前記固定金具のガイド孔またはガイド溝の短径方向の幅より小径の中心孔に雌ねじを有し、頭部に前記平板状の固定金具の背面にその上面が当接する厚肉の環状フランジを有し、該環状フランジ部の中心部に前記中心孔より大径で前記固定金具のガイド孔またはガイド溝短径方向の幅より僅かに小径の内ねじを有する本体部と、上部に前記本体部の環状フランジと略同一外径の環状鍔を有し前記固定金具のガイド孔またはガイド溝に嵌入してその下部が前記本体部の内ねじに螺合する鍔付き筒体とで構成し、前記本体部の環状フランジと前記鍔付き筒体とで形成される環状凹部を前記固定金具のガイド孔またはガイド溝孔にスライド可能に装着する方式となしていることを特徴とするものである。
【発明の効果】
【０００６】
本発明のＡＬＣパネルの取付金具は、建物躯体のＨ形鉄骨梁等の上部フランジ部の背面に引っ掛けて配置する一枚物の薄板部材からなる平板状の固定金具と、ＡＬＣパネルに挿通するボルトに螺合するナットが回転可能に一体化されているので、ナットを回すことでボルトとの螺合が可能、パネル取付け作業中に固定金具あるいはナットを誤って落とすトラブルがなくなりパネル施工における作業の安全性を確保できる、パネル取付金具の個数が一つとなることによりパネル取付け作業を能率よく行なうことができる、固定金具と一体化されたナットは当該固定金具の長手方向（Ｈ形鉄骨梁等の上部フランジ部の幅方向）にスライド可能となしていることにより、ボルトの打込み誤差に対して簡易迅速に対応することができる、パネル取付け作業の簡易迅速化とパネル取付施工効率の向上をはかることができる、等の効果が得られる。
【発明を実施するための最良の形態】
【０００７】
図１は本発明に係るＡＬＣパネル取付金具の第１実施例を一部破断して示す分解斜視図、図２は同上ＡＬＣパネル取付金具の組立て状態を示す断面図、図３は同じくＡＬＣパネル取付金具の第２実施例を一部破断して示す分解斜視図、図４は同上のＡＬＣパネル取付金具の組立て状態を示す断面図、図５は同じくＡＬＣパネル取付金具の第３実施例を一部破断して示す分解斜視図、図６は同上のＡＬＣパネル取付金具の組立て状態を示す断面図、図７は同じくＡＬＣパネル取付金具の第４実施例を一部破断して示す分解斜視図、図８は同上のＡＬＣパネル取付金具の組立て状態を示す断面図、図９は本発明に係るＡＬＣパネル取付金具の平板状の固定金具を例示したもので、（ａ）はガイド溝孔付き固定金具、（ｂ）はガイド孔付き固定金具、（ｃ）は両端部にナット部材嵌入孔を有するガイド孔付き固定金具、（ｄ）は一端部にナット部材嵌入孔を有するガイド孔付き固定金具、（ｅ）は両側縁に補強用フランジを有するガイド溝孔付き固定金具、（ｆ）は両側端面部に補強部を有するガイド孔付き固定金具、（ｇ）は両側縁に補強部を有するガイド孔付き固定金具をそれぞれ示す斜視図であり、１、２、３、４はＡＬＣパネル取付金具、１−１、２−１、３−１、４−１、５−１、５−２、５−３、５−４、５−５、５−６、５−７は固定金具、１−２、２−２、３−２、４−２はナット部材である。
【０００８】
まず、図１、図２に示すＡＬＣパネル取付金具１は、一枚物の矩形の薄板部材に当該薄板部材の長手方向に例えば一端が開口する長孔のガイド溝孔１−１ａを有する固定金具１−１と、中心孔に雌ねじ１−２ａを有するナット本体部の頭部の外側面に前記固定金具１−１のガイド溝孔１−１ａの内端部にスライド可能に凹凸嵌合し得る凹部１−２ｃを有する環状フランジ部１−２ｂを設けたナット部材１−２とから構成されたもので、このＡＬＣパネル取付金具１の場合は、ナット部材１−２の頭部を固定金具１−１の端部よりガイド溝孔１−１ａ内にナット部材１−２の環状フランジ部１−２ｂを凹凸嵌合させると共に該ガイド溝孔１−１ａ内をスライドさせて当該ナット部材１−２を位置決めする。このようにしてナット部材１−２を固定金具１−１の所定の位置に装着すると、ＡＬＣパネル取付ボルト（図面省略）を該ナット部材１−２に螺合してＡＬＣパネル（図面省略）を建物躯体のＨ形鉄骨梁等の上部フランジ部（図面省略）に固定する。
【０００９】
図３、図４に示すＡＬＣパネル取付金具２は、同じく一枚物の矩形の薄板部材に当該薄板部材の長手方向に長孔のガイド孔２−１ａを有する固定金具２−１と、中心孔に雌ねじ２−２ａを有するナット本体部の頭部に前記固定金具２−１のガイド孔２−１ａ内にスライド可能に嵌入し得る円筒部２−２ｂを設けたナット部材２−２とから構成されたもので、このＡＬＣパネル取付金具２の場合は、固定金具２−１のガイド孔２−１ａ内にナット部材２−２の円筒部２−２ｂを嵌入させると共に該ガイド孔２−１ａ内をスライドさせて当該ナット部材２−２を位置決めした後、前記円筒部２−２ｂをスライド可能にかしめて固定金具２−１に装着する。このようにしてナット部材２−２を固定金具２−１の所定の位置に装着すると、ＡＬＣパネル取付ボルト（図面省略）を該ナット部材２−２に螺合してＡＬＣパネル（図面省略）を建物躯体のＨ形鉄骨梁等の上部フランジ部（図面省略）に固定する。
【００１０】
図５、図６に示すＡＬＣパネル取付金具３は、同じく一枚物の矩形の薄板部材に当該薄板部材の長手方向に長いガイド溝孔３−１ａを有する固定金具３−１と、中心孔に雌ねじ３−２ａを有する本体部の頭部外側面に前記固定金具３−１のガイド溝孔３−１ａに嵌入する外ねじ筒部３−２ｂと該外ねじ筒部３−２ｂの付け根部に連なって前記固定金具３−１の背面にその上面が当接する環状フランジ３−２ｃを設けたナット本体部３−２ｄおよび、前記固定金具３−１のガイド孔３−１ａの内面と前記ナット本体部の外ねじ筒部３−２ｂとの間に嵌入して該外ねじ筒部３−２ｂに螺合する内ねじ３−２ｅと外端に前記環状フランジ３−２ｃとほぼ同一径の鍔３−２ｆを有する鍔付き筒体３−２ｇとからなり、前記外ねじ筒部３−２ｂに前記鍔付き筒体３−２ｇを螺合させることによりナット本体部３−２ｄの環状フランジ３−２ｃと鍔付き筒体３−２ｇとで固定金具３−１のガイド溝孔３−１ａにスライド可能に嵌合し得る凹部３−２ｈが形成されるナット部材３−２とで構成されたもので、このＡＬＣパネル取付金具３の場合は、外ねじ筒部３−２ｂと環状フランジ３−２ｃを設けたナット本体部の該外ねじ筒部３−２ｂに鍔付き筒体３−２ｇを螺合させて一体化した後、このナット部材３−２の前記環状フランジ３−２ｃと前記鍔付き筒体３−２ｇとで形成される環状凹部３−２ｈを固定金具３−１のガイド孔３−１ａにスライド可能に嵌合させて装着し、しかる後このナット部材３−２を固定金具３−１のガイド孔３−１ａ内をスライドさせて位置決めする。このようにしてナット部材３−２を固定金具３−１の所定の位置に装着すると、ＡＬＣパネル取付ボルト（図面省略）を該ナット部材３−２に螺合してＡＬＣパネル（図面省略）を建物躯体のＨ形鉄骨梁等の上部フランジ部（図面省略）に固定する。
【００１１】
図７、図８に示すＡＬＣパネル取付金具４は、同じく一枚物の矩形の薄板部材に当該薄板部材の長手方向に長いガイド孔４−１ａを有する固定金具４−１と、該固定金具４−１のガイド孔４−１ａの短径方向の幅より小径の中心孔に雌ねじ４−２ａを有し、さらに頭部に前記固定金具４−１の背面にその上面が当接する厚肉の環状フランジ４−２ｂを有し、該環状フランジ部４−２ｂの中心部に前記雌ねじ４−２ａを有する中心孔より大径で前記固定金具４−１のガイド孔４−１ａの短径方向の幅より僅かに小径の内ねじ４−２ｃを有する本体部と、上部に前記本体部の環状フランジ部４−２ｂと略同一外径の環状鍔４−２ｅを有し前記固定金具のガイド孔４−１ａに嵌入してその下部が前記本体部の内ねじ４−２ｃに螺合する外ねじ４−２ｆと外端に前記環状フランジ４−２ｂとほぼ同一径の鍔４−２ｇを有する鍔付き筒体４−２ｈとからなり、前記雌ねじ４−２ａを有する中心孔と内ねじ４−２ｃを有する本体部４−２ｄに前記鍔付き筒体４−２ｈを螺合させることにより、本体部の環状フランジ４−２ｂと鍔付き筒体４−２ｈとで固定金具４−１のガイド孔４−１ａにスライド可能に嵌合し得る環状凹部４−２ｉが形成されるナット部材４−２とで構成されたもので、このＡＬＣパネル取付金具４の場合は、ナット部材４−２の本体部の内ねじ部４−２ｃに鍔付き筒体４−２ｈを螺合させて一体化した後、このナット部材４−２の前記環状フランジ４−２ｂと前記鍔付き筒体４−２ｄとで形成される環状凹部４−２ｉを固定金具４−１のガイド孔４−１ａに嵌合させて装着し、しかる後このナット部材４−２を固定金具４−１のガイド孔４−１ａ内をスライドさせて位置決めする。このようにしてナット部材４−２を固定金具４−１の所定の位置に装着すると、ＡＬＣパネル取付ボルト（図面省略）を該ナット部材４−２に螺合してＡＬＣパネル（図面省略）を建物躯体のＨ形鉄骨梁等の上部フランジ部（図面省略）に固定する。
【００１２】
前記本発明に係るＡＬＣパネル取付金具の平板状の固定金具としては、前記図１〜図８に示すものを含めて図９に例示したものを用いることができる。
すなわち、（ａ）は一枚物の矩形の薄板部材の長手方向に一端が開口する長孔のガイド溝孔５−１ａを有するガイド溝孔付き固定金具５−１、（ｂ）は一枚物の矩形の薄板部材の長手方向に長孔のガイド孔５−２ａを有するガイド孔付き固定金具５−２、（ｃ）は一枚物の矩形の薄板部材の長手方向に、両端部にナット部材嵌入孔部５−３ｂが設けられたガイド孔５−３ａを有するガイド孔付き固定金具、（ｄ）は一枚物の矩形の薄板部材の長手方向に、一端部にナット部材嵌入孔部５−４ｂが設けられたガイド孔５−４ａを有するガイド孔付き固定金具、（ｅ）一枚物の矩形の薄板部材の両側縁に当該部材を直角に折曲げて形成した補強用フランジを５−５ｂを有するガイド孔５−５ａ付き固定金具、（ｆ）は一枚物の矩形の薄板部材の両側端面部に当該部材をプレスして形成した凸条補強部５−６ｂを有するガイド孔５−６ａ付き固定金具、（ｇ）は一枚物の矩形の薄板部材の両側縁に当該部材を屈曲して形成した凸条補強部５−７ｂを有するガイド孔５−７ａ付き固定金具をそれぞれ示す。これらの固定金具は、ＡＬＣパネルの大きさや種類、建物躯体のＨ形鉄骨梁等の上部フランジ部のサイズや肉厚等に応じて適宜選択して用いる。
【産業上の利用可能性】
【００１３】
本発明のＡＬＣパネルの取付金具は、一枚物の薄板部材からなる平板状の固定金具と、ＡＬＣパネルに挿通するボルトに螺合するナット部材が一体化されているので、パネル取付け作業中に固定金具あるいはナットを誤って落とすトラブルの発生が大幅に少なくなり、パネル施工における作業の安全性を確保できる上、平板状の固定金具と一体化されたナット部材はスライト方式により該固定金具に位置可変に装着されているので、ＡＬＣパネルに挿通するボルトに対するナット部材の位置決めを簡易迅速に行うことができ、パネル取付け作業の簡易迅速化とパネル取付施工効率の向上をはかることができ、ＡＬＣパネル施工に大きく寄与する。
【図面の簡単な説明】
【００１４】
【図１】本発明に係るＡＬＣパネル取付金具の第１実施例を一部破断して示す分解斜視図である。
【図２】同上ＡＬＣパネル取付金具の組立て状態を示す断面図である。
【図３】同じくＡＬＣパネル取付金具の第２実施例を一部破断して示す分解斜視図である。
【図４】同上のＡＬＣパネル取付金具の組立て状態を示す断面図である。
【図５】同じくＡＬＣパネル取付金具の第３実施例を一部破断して示す分解斜視図である。
【図６】同上のＡＬＣパネル取付金具の組立て状態を示す断面図である。
【図７】同じくＡＬＣパネル取付金具の第４実施例を一部破断して示す分解斜視図である。
【図８】同上のＡＬＣパネル取付金具の組立て状態を示す断面図である。
【図９】本発明に係るＡＬＣパネル取付金具の平板状の固定金具を例示したもので、（ａ）はガイド溝孔付き固定金具、（ｂ）はガイド孔付き固定金具、（ｃ）は両端部にナット部材嵌入孔を有するガイド孔付き固定金具、（ｄ）は一端部にナット部材嵌入孔を有するガイド孔付き固定金具、（ｅ）は両側縁に補強用フランジを有するガイド溝孔付き固定金具、（ｆ）は両側端面部に補強部を有するガイド孔付き固定金具、（ｇ）は両側縁に補強部を有するガイド孔付き固定金具をそれぞれ示す斜視図である。
【図１０】従来のＡＬＣパネル取付金具を用いて、ＡＬＣパネルをＨ形鋼からなる梁に取付ける場合の一例を要部断面図である。
【符号の説明】
【００１５】
１、２、３、４  ＡＬＣパネル取付金具
１−１、２−１、３−１、４−１、５−１、５−２、５−３、５−４、５−５、
５−６、５−７  固定金具
１−２、２−２、３−２、４−２  ナット部材
【図１】
2007254985.tif 000003
【図２】
2007254985.tif 000004
【図３】
2007254985.tif 000005
【図４】
2007254985.tif 000006
【図５】
2007254985.tif 000007
【図６】
2007254985.tif 000008
【図７】
2007254985.tif 000009
【図８】
2007254985.tif 000010
【図９】
2007254985.tif 000011
【図１０】
2007254985.tif 000012